(57)【要約】【課題】前面扉での注視領域を遊技の興趣性向上に関して有効活用することができ、かつ、遊技情報表示装置に悪影響を及ぼすことが低減できる遊技機を提供する。【解決手段】表示用基板６９５の表示部６９３による遊技情報表示領域をサブパネル部に移設することで、前面扉の注視領域を遊技の興趣性向上に関して有効活用でき、固定部材６８０は冷陰極管６７０を表示パネル６６３の背面側に固定し、この固定部材６８０の覆い部６８１は、冷陰極管６７０での表示用基板６９５に近い方の端部である第１端部６７１の箇所を覆っているので、冷陰極管６７０の第１端部６７１と遊技情報表示装置（例えば表示用基板６９５）との距離をとることができ、両者についての空間距離ではなく沿面距離をとることができ、冷陰極管６７０の第１端部６７１により遊技情報表示装置が、高電圧や静電気などによる悪影響を受けることを低減できる。【選択図】図２０
2008212178.tif 000002
【特許請求の範囲】
【請求項１】
本体部材と、この本体部材の前面側で当該本体部材に対して開閉可能に支持される扉部材と、複数の図柄が表示されたリールを回動・停止する回動リール装置とを備えた遊技機において、
前記扉部材は、前記回動リール装置でのリールが視認可能な視認窓を備え、かつ、遊技に関する固定情報を少なくとも表示する情報表示手段を前記視認窓以外の箇所に備え、
前記情報表示手段は、遊技に関する固定情報が少なくとも表示された表示パネルと、前記表示パネルに向けて光を照射する棒状の冷陰極管と、前記冷陰極管を前記表示パネルの背面側に固定する固定手段と、前記冷陰極管での管内電極部がそれぞれ存する両端部のうちの一方の端部と前記表示パネルとの間に配置された、表示部を有する表示制御基板とを備え、
前記表示パネルは、前記表示制御基板の前記表示部での表示によって所定の遊技情報が表示される遊技情報表示領域を、前記表示制御基板の対応する箇所に設け、
前記固定手段は、前記冷陰極管での前記表示制御基板に近い方の端部である第１端部箇所を覆う覆い部を備えている
ことを特徴とする遊技機。
【発明の詳細な説明】
【技術分野】
【０００１】
この発明は、遊技球を使用するパチンコ機、メダルまたは遊技球使用の回胴遊技機などの各種の遊技機に関する。
【背景技術】
【０００２】
従来、遊技機の代表例として例えばメダル使用のスロットマシンがある。このスロットマシンは、例えば、当該スロットマシンの外殻を形成し遊技場（ホール）の遊技島に固定される箱型の筐体と、この筐体の内部に設けられる、遊技者に大当たりの有無を知らせるための各種の図柄が表示されたリールを回動・停止する回動リール装置と、この筐体の正面視での左端側を開閉軸として当該筐体に対して開閉可能に支持され、回動リールが視認可能な視認窓を備えた前面扉と、を備えている。
【０００３】
また、この前面扉は、視認窓の周囲での所定箇所に、遊技の興趣性を向上させるための表示演出を表示する液晶表示装置と、機種名や各役の賞球数などの説明を表示するための表示パネルとを備えている。この表示パネルは、機種名や各種のデザインが装飾された表示プレートと、この表示プレートを背後から照らすための棒状の冷陰極管とを備えており、表示プレートが冷陰極管で照らされるようになっている（例えば、特許文献１参照）。
【特許文献１】特開２００４−１６６８７９号公報（第６頁，第１，２図）
【発明の開示】
【発明が解決しようとする課題】
【０００４】
しかしながら、このような構成を有する従来例の場合には、次のような問題がある。
すなわち、従来のスロットマシンでは、例えば、前面扉での視認窓や液晶表示装置等の配置領域は遊技者が常に注視する領域（注視領域）であり、この領域の一部の箇所に、メダルの投入数や払い出した賞球数をその都度に表示する、ＬＥＤ（発光ダイオード）や７セグメントＬＥＤなどの電子部品が実装された表示制御基板からなる遊技情報表示装置を備えているものがあるが、この遊技情報表示装置を表示パネルの方に移設することで、より大きな液晶表示装置を前記の注視領域に配置可能となるなど、さらなる遊技の興趣性の向上を図ることが考えられる。しかし、表示パネルに設けられた冷陰極管により遊技情報表示装置が悪影響を受けることがあるという問題がある。
【０００５】
本発明は、このような事情に鑑みてなされたものであって、前面扉での視認窓や液晶表示装置等が配置される注視領域を遊技の興趣性向上に関して有効活用することができ、かつ、遊技情報表示装置に悪影響を及ぼすことが低減できる遊技機を提供することを目的とする。
【課題を解決するための手段】
【０００６】
この発明は、このような目的を達成するために、次のような構成をとる。
すなわち、請求項１に記載の発明は、
本体部材と、この本体部材の前面側で当該本体部材に対して開閉可能に支持される扉部材と、複数の図柄が表示されたリールを回動・停止する回動リール装置とを備えた遊技機において、
前記扉部材は、前記回動リール装置でのリールが視認可能な視認窓を備え、かつ、遊技に関する固定情報を少なくとも表示する情報表示手段を前記視認窓以外の箇所に備え、
前記情報表示手段は、遊技に関する固定情報が少なくとも表示された表示パネルと、前記表示パネルに向けて光を照射する棒状の冷陰極管と、前記冷陰極管を前記表示パネルの背面側に固定する固定手段と、前記冷陰極管での管内電極部がそれぞれ存する両端部のうちの一方の端部と前記表示パネルとの間に配置された、表示部を有する表示制御基板とを備え、
前記表示パネルは、前記表示制御基板の前記表示部での表示によって所定の遊技情報が表示される遊技情報表示領域を、前記表示制御基板の対応する箇所に設け、
前記固定手段は、前記冷陰極管での前記表示制御基板に近い方の端部である第１端部箇所を覆う覆い部を備えている
ことを特徴とするものである。
【０００７】
［作用・効果］請求項１に記載の発明によれば、遊技機は、本体部材と、この本体部材の前面側で当該本体部材に対して開閉可能に支持される扉部材と、複数の図柄が表示されたリールを回動・停止する回動リール装置とを備えている。扉部材は、回動リール装置でのリールが視認可能な視認窓を備え、かつ、遊技に関する固定情報を少なくとも表示する情報表示手段を、視認窓以外の箇所に備えている。情報表示手段は、遊技に関する固定情報が少なくとも表示された表示パネルと、表示パネルに向けて光を照射する棒状の冷陰極管と、この冷陰極管を表示パネルの背面側に固定する固定手段と、冷陰極管での管内電極部がそれぞれ存する両端部のうちの一方の端部と表示パネルとの間に配置された、表示部を有する表示制御基板と、を備えている。表示パネルは、表示制御基板の表示部での表示によって所定の遊技情報が表示される遊技情報表示領域を、表示制御基板の対応する箇所に設けている。固定手段は、冷陰極管での表示制御基板に近い方の端部である第１端部箇所を覆う覆い部を備えている。
【０００８】
したがって、表示制御基板の表示部での表示によって所定の遊技情報が表示される遊技情報表示領域を情報表示手段の表示パネルの方に移設することで、遊技者が常に注視する注視領域に、より大きな液晶表示装置などの表示装置を配置可能とすることができ、さらなる遊技の興趣性の向上を図ることができ、前面扉の注視領域を遊技の興趣性向上に関して有効活用できる。
【０００９】
さらに、固定手段は冷陰極管を表示パネルの背面側に固定し、この固定手段の覆い部は、冷陰極管での表示制御基板に近い方の端部である第１端部箇所を覆っているので、冷陰極管の第１端部と遊技情報表示装置（例えば表示制御基板）との距離をとることができ、つまり、両者についての空間距離ではなく沿面距離をとることができ、冷陰極管の第１端部により遊技情報表示装置が悪影響（例えば、高電圧や静電気などによる悪影響）を受けることを低減できる。また、冷陰極管の両端部、正確にはガラス管の両端部でその内部に封止配設された各電極にはこの電極に接続されたケーブルを介して高電圧が印加されているが、冷陰極管での高電圧印加電極を内在する第１端部が固定手段の覆い部で覆われているので、冷陰極管の第１端部が遊技情報表示装置に接触することを防止できる。
【００１０】
その結果、前面扉での注視領域（例えば、視認窓や液晶表示装置等が配置される領域であって遊技者によって注視される領域）を遊技の興趣性向上に関して有効活用することができ、かつ、遊技情報表示装置に悪影響を及ぼすことが低減できる遊技機を提供することができる。
【００１１】
なお、本明細書中で言う「遊技に関する固定情報」は、遊技機の名称や、その遊技機に関する名称や、遊技機に関するキャラクタや、遊技機の遊技説明など種々の固定的な情報が挙げられる。
【００１２】
なお、本明細書は、次のような遊技機に係る発明も開示している。
【００１３】
（１）  請求項１に記載の遊技機において、
前記覆い部は、前記冷陰極管の前記第１端部が挿入される筒状部材としていることを特徴とする遊技機。
【００１４】
前記（１）に記載の発明によれば、冷陰極管での表示制御基板に近い方の端部である第１端部箇所は、覆い部としての筒状部材に挿入された状態となっているので、この筒状部材に挿入された冷陰極管の第１端部が、振動や何かが引っ掛る等の外的要因で直接前方に外れて表示制御基板に接触するようなことがなく、固定手段でもってより安全に冷陰極管を固定することができる。
【００１５】
（２）  前記（１）に記載の遊技機において、
前記筒状部材は、その両端のうちの一方側に、前記冷陰極管の端部が挿入される挿入口を備え、その他方側を閉鎖した閉鎖部を備えている
ことを特徴とする遊技機。
【００１６】
前記（２）に記載の発明によれば、筒状部材は、その両端のうちの一方側に、冷陰極管の端部が挿入される挿入口を備え、その他方側を閉鎖した閉鎖部を備えているので、筒状部材の挿入口から挿入された冷陰極管の第１端部はこの筒状部材の閉鎖部で止められ、冷陰極管がその筒状部材の他方側から突き出たり抜け落ちたりすることがない。また、筒状部材の他端側が閉鎖部となっているので、冷陰極管の第１端部と遊技情報表示装置との距離をとることができ、つまり、両者についての空間距離ではなく沿面距離をとることができ、冷陰極管の第１端部により遊技情報表示装置が悪影響（例えば、高電圧や静電気などによる悪影響）を受けることを低減できる。
【００１７】
（３）  前記（２）に記載の遊技機において、
前記冷陰極管での前記筒状部材に挿入される前記第１端部および前記筒状部材は、前記筒状部材に挿入された前記冷陰極管がその長手方向を軸心として回動することを抑止する嵌合手段を備えている
ことを特徴とする遊技機。
【００１８】
前記（３）に記載の発明によれば、冷陰極管の筒状部材に挿入される第１端部および筒状部材は、筒状部材に挿入された冷陰極管がその長手方向を軸心として回動することを抑止する嵌合手段を備えているので、筒状部材に挿入された冷陰極管がその長手方向を軸心として回動することを抑止でき、冷陰極管に接続されたケーブルの筒状部材内の位置がこの冷陰極管の回動によって変更されることを低減でき、冷陰極管の回動によってこの冷陰極管のケーブルに無理な負荷がかかることを低減できる。
【００１９】
（４）  前記（３）に記載の遊技機において、
前記嵌合手段は、前記冷陰極管の前記第１端部の外周の所定箇所に形成された第１平面部と、前記筒状部材の内周の所定箇所に形成された、前記第１平面部に対応する第２平面部とを備え、前記冷陰極管の前記第１端部が前記筒状部材に挿入された状態で、前記第１平面部と前記第２平面部との当接によって前記冷陰極管の回動を抑止するものである
ことを特徴とする遊技機。
【００２０】
前記（４）に記載の発明によれば、嵌合手段は、冷陰極管の第１端部の外周の所定箇所に形成された第１平面部と、筒状部材の内周の所定箇所に形成された、第１平面部に対応する第２平面部とを備え、冷陰極管の第１端部が筒状部材に挿入された状態で、第１平面部と第２平面部との当接によって冷陰極管の回動を抑止するものであるので、冷陰極管の回動を好適に抑止できる。
【００２１】
（５）  前記（１）から（４）のいずれか一つに記載の遊技機において、
前記筒状部材は、その内部での前記表示パネルから離れた箇所である背面箇所に、前記冷陰極管の前記第１端部が当該背面箇所からさらに背面方向に移動するのを規制する規制部を備え、
さらに、前記筒状部材は、前記冷陰極管の前記第１端部内の管内電極部に接続されたケーブルが敷設される敷設空間部を、この筒状部材の内部で前記規制部よりも背面方向に形成している
ことを特徴とする遊技機。
【００２２】
前記（５）に記載の発明によれば、筒状部材は、その内部での表示パネルから離れた箇所である背面箇所に、冷陰極管の第１端部が当該背面箇所からさらに背面方向に移動するのを規制する規制部を備えている。さらに、この筒状部材は、冷陰極管の第１端部内の管内電極部に接続されたケーブルが敷設される敷設空間部を、当該筒状部材の内部で規制部よりも背面方向に形成している。したがって、筒状部材に挿入された第１端部は規制部によってそれ以上に背面方向へ移動することが規制されており、しかも敷設空間部によって、冷陰極管の第１端部のケーブルの敷設空間が確保されているので、冷陰極管が背面方向への移動することでこの第１端部と筒状部材の内周とでケーブルが挟み込まれるようなことがないし、ケーブル敷設位置を確実ならしめることができる。
【００２３】
（６）  前記（１）から（５）のいずれか一つに記載の遊技機において、
前記固定手段は、前記冷陰極管の両端のうちで前記筒状部材に挿入される前記第１端部とは反対側の端部である第２端部を保持する保持部を備え、
前記保持部は、前記表示パネルに向けて突出して所定の間隔を空けて配設された一対の保持片を有し、この一対の保持片間に前記冷陰極管の前記第２端部が前記表示パネル側から入れられて保持されるようになっている
ことを特徴とする遊技機。
【００２４】
前記（６）に記載の発明によれば、固定手段は、冷陰極管の両端のうちで筒状部材に挿入される第１端部とは反対側の端部である第２端部を保持する保持部を備えている。保持部は、表示パネルに向けて突出して所定の間隔を空けて配設された一対の保持片を有し、この一対の保持片間に冷陰極管の第２端部が表示パネル側から入れられて保持されるようになっているので、まず、冷陰極管の第２端部を固定手段の一対の保持片間に押し入れることで、この冷陰極管を片取付状態とし、この片取付状態の冷陰極管の第１端部が固定手段の筒状部材に挿入されるようにスライド移動させ、冷陰極管を表示パネルの背面側に固定することができる。つまり、冷陰極管の第２端部を固定手段の一対の保持片間に押し入んだ片取付状態からその第１端部を筒状部材に挿入するようにスライド移動させるようにして冷陰極管を取り付けることができるし、取り外す際にはその逆の手順で行えばよいので、着脱作業が容易である。さらに、冷陰極管を取り外す際には、冷陰極管の第１端部を筒状部材から抜き出してこの冷陰極管の第２端部を一対の保持片から外すため、冷陰極管の第１端部を表示制御基板の方向に向けて取り外す訳ではないので、冷陰極管の第１端部が表示制御基板に接触するようなことを低減でき、安全性にも優れている。
【００２５】
（７）  前記（６）に記載の遊技機において、
前記冷陰極管の前記第２端部は、外周で両側箇所に形成された一対の第３平面部を備え、
前記一対の保持片は、その互いに向き合う面側に、前記一対の第３平面部と対応する第４平面部を備え、
前記一対の保持片の両第４平面部に前記第２端部の前記一対の第３平面部がそれぞれ対向して当接または近接する状態でこの一対の保持片間に前記第２端部が保持されるようになっている
ことを特徴とする遊技機。
【００２６】
前記（７）に記載の発明によれば、冷陰極管の第２端部は、外周で両側箇所に形成された一対の第３平面部を備えている。一対の保持片は、その互いに向き合う面側に、一対の第３平面部と対応する第４平面部を備えている。一対の保持片の両第４平面部に第２端部の一対の第３平面部がそれぞれ対向して当接または近接する状態でこの一対の保持片間に第２端部が保持されるようになっているので、冷陰極管の第２端部を一対の保持片間で面支持することができ、保持性に優れているし、第２端部の方でもこの冷陰極管の回動を防止することができる。
【００２７】
（８）  請求項１に記載の遊技機、または、前記（１）から（７）のいずれか一つに記載の遊技機において、
前記遊技機はパチンコ機であることを特徴とする遊技機。
【００２８】
前記（８）に記載の遊技機によれば、前面扉での注視領域（例えば、視認窓や液晶表示装置等が配置される領域であって遊技者によって注視される領域）を遊技の興趣性向上に関して有効活用することができ、かつ、遊技情報表示装置に悪影響を及ぼすことが低減できるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００２９】
（９）  請求項１に記載の遊技機、または、前記（１）から（７）のいずれか一つに記載の遊技機において、
前記遊技機はスロットマシンであることを特徴とする遊技機。
【００３０】
前記（９）に記載の遊技機によれば、前面扉での注視領域（例えば、視認窓や液晶表示装置等が配置される領域であって遊技者によって注視される領域）を遊技の興趣性向上に関して有効活用することができ、かつ、遊技情報表示装置に悪影響を及ぼすことが低減できるスロットマシンを提供できる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技用媒体はコイン、メダル等が代表例として挙げられる。
【００３１】
（１０）  請求項１に記載の遊技機、または、前記（１）から（７）のいずれか一つに記載の遊技機において、
前記遊技機はパチンコ機とスロットマシンとを融合させたものであることを特徴とする遊技機。
【００３２】
前記（１０）に記載の遊技機によれば、前面扉での注視領域（例えば、視認窓や液晶表示装置等が配置される領域であって遊技者によって注視される領域）を遊技の興趣性向上に関して有効活用することができ、かつ、遊技情報表示装置に悪影響を及ぼすことが低減できる、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」となる。
【００３３】
（１１）  請求項１に記載の遊技機、または、前記（１）から（７）のいずれか一つに記載の遊技機において、
前記遊技機は、遊技者による始動操作に基づいて、複数の図柄を外周面に付した回転体の回転を開始させることで図柄の可変表示を開始し、前記回転体の回転停止時の図柄表示態様が所定の表示態様である場合に遊技球の払い出しが行われることを特徴とする遊技球使用の回胴遊技機。
【００３４】
前記（１１）に記載の遊技機によれば、前面扉での注視領域（例えば、視認窓や液晶表示装置等が配置される領域であって遊技者によって注視される領域）を遊技の興趣性向上に関して有効活用することができ、かつ、遊技情報表示装置に悪影響を及ぼすことが低減できる、遊技球使用の回胴遊技機を提供できる。
【発明の効果】
【００３５】
この発明に係る遊技機によれば、表示制御基板の表示部での表示によって所定の遊技情報が表示される遊技情報表示領域を情報表示手段の表示パネルの方に移設することで、遊技者が常に注視する注視領域に、より大きな液晶表示装置などの表示装置を配置可能とすることができ、さらなる遊技の興趣性の向上を図ることができ、前面扉の注視領域を遊技の興趣性向上に関して有効活用できる。さらに、固定手段は冷陰極管を表示パネルの背面側に固定し、この固定手段の覆い部は、冷陰極管での表示制御基板に近い方の端部である第１端部箇所を覆っているので、冷陰極管の第１端部と遊技情報表示装置との距離をとることができ、つまり、両者についての空間距離ではなく沿面距離をとることができ、冷陰極管の第１端部により遊技情報表示装置が悪影響（例えば、高電圧や静電気などによる悪影響）を受けることを低減できる。また、冷陰極管の両端部、正確にはガラス管の両端部でその内部に封止配設された各電極にはこの電極に接続されたケーブルを介して高電圧が印加されているが、冷陰極管での高電圧印加電極を内在する第１端部が固定手段の覆い部で覆われているので、冷陰極管の第１端部が遊技情報表示装置に接触することを防止できる。その結果、前面扉での注視領域（例えば、視認窓や液晶表示装置等が配置される領域であって遊技者によって注視される領域）を遊技の興趣性向上に関して有効活用することができ、かつ、遊技情報表示装置に悪影響を及ぼすことが低減できる遊技機を提供することができる。
【発明を実施するための最良の形態】
【００３６】
以下に、本発明の遊技機（例えば、遊技球を遊技媒体として用いて遊技を行う、遊技球使用回胴遊技機）の実施の形態を、図面に基づいて詳細に説明する。
【００３７】
実施例の遊技機を、図面に基づいて詳細に説明する。実施例の遊技機１は、遊技に際して所定数の遊技媒体（遊技価値）としての遊技球（例えばパチンコ機と同様の遊技球：パチンコ球）の取込を必要とし、所定条件が成立した場合には複数の遊技球、場合によっては大量の遊技球が払い出されるよう構成されている遊技球使用の回胴遊技機である。本遊技機１には、遊技ホール等においてパチンコ機と共通の遊技球供給システムから遊技球の供給がなされるようになっており、パチンコ機が設置される既存の島設備（パチンコ島）に本遊技機を設置することが可能となっている。つまり、上記のパチンコ機用の島設備を特段に変更することなく、当該島設備に設置されていたパチンコ機に替えて、本遊技機１（遊技球使用の回胴遊技機）を設置することができる。
【００３８】
まず、遊技機１の外観構成及び内部構造の概略を説明する。ここで、図１は遊技機１の全体を示す斜視図、図２は遊技機１の正面図、図３は及び図４は遊技機１の内部開放状態を示す斜視図、図５は遊技機１の背面図である。なお以下の説明においては、特に注記しない限りは、遊技機１の正面から見た状態を基準として左右上下などの方向を記載することとする。
【００３９】
遊技機１は、図１，３に示すように、本体枠としての外枠２と、この外枠２に対して前方に片開き可能に取り付けられた遊技機本体部３とを有する。
【００４０】
外枠２は、図１〜３に示すように、木製の板材を四辺に連結し構成されるものであって、全体として矩形状をなしている。本遊技機１を遊技ホールに設置する際には、外枠２が島設備に取り付け固定される。なお、外枠２を合成樹脂やアルミニウム等の金属によって構成することも可能である。図３等では隠れて図示されていないが、外枠２を構成する四辺の板材のうち右辺の板材には、その内側上下２箇所に、後述するドアブロック４に設けた施錠装置１２０（鉤金具１２３等を備える）を係止するための鉤受け部２ａ（図３参照）が設けられている。
【００４１】
遊技機本体部３は、図４に示すように、扉体ユニットであるドアブロック４と、このドアブロック４の背面側に設けられた遊技主要ブロック５とに大別される。以下に、ドアブロック４と遊技主要ブロック５とをその順に説明する。
【００４２】
図４に示すように、ドアブロック４には上下２箇所にヒンジ金具８が設けられており、このヒンジ金具８と外枠２側の上下２箇所の支持金具９とにより、ドアブロック４（遊技機本体部３）が外枠２に対して開閉可能に支持されている。この場合、遊技機１を正面から見て左側に開閉軸線が設けられる構成となっており、遊技機本体部３は正面から見て右側を開閉先端部として開放される。外枠２に対して遊技機本体部３が閉じた状態では、ドアブロック４の外周縁部の背面が外枠２の前面に当接するようになっている。
【００４３】
また、図４に示すように、ドアブロック４は、その背面側下部に、球受皿ユニットである受皿ブロック１０が着脱可能に取り付けられている。
【００４４】
続いて、遊技主要ブロック５について説明する。この遊技主要ブロック５は、図４に示すように、絵柄表示ユニットである遊技盤ブロック６と、遊技球の払出ユニットである払出ブロック７とから構成されている。
【００４５】
具体的には、遊技盤ブロック６は、図４に示すように、ドアブロック４の背面側において受皿ブロック１０の上方で片開き自在に取り付けられ、更に遊技盤ブロック６の背面側を覆うようにして払出ブロック７が取り付けられている。この遊技盤ブロック６と払出ブロック７とは、ドアブロック４の一端側（背面視で右端側）を開閉軸としてそれぞれ片開き自在に支持されている。つまり、遊技主要ブロック５（遊技盤ブロック６と払出ブロック７とからなる）は、外枠２に対してドアブロック４と一体で片開き自在となるとともに、ドアブロック４に対して遊技盤ブロック６と払出ブロック７とが各々個別に片開き自在となる構造を有する。
【００４６】
また、図３，図５に示すように、払出ブロック７は、その背面側下部に、払出制御装置１５７と電源装置１５６とが当該背面視で左から順に横並びに取り付けられている。
【００４７】
詳しくは、電源装置１５６は、電源基板（図示省略）と、この電源基板を収容する基板ボックス１５６ａとを備えている。この基板ボックス１５６ａは、例えば合成樹脂材料にて成形されており、特に内部（電源基板）を視認可能とすべく透明ボックスとされている。
【００４８】
また、払出制御装置１５７は、払出制御基板（図示省略）と、この払出制御基板を収容する基板ボックス１５７ａとを備えている。この基板ボックス１５７ａは、例えば合成樹脂材料にて成形されており、特に内部（払出制御基板）を視認可能とすべく透明ボックスとされている。
【００４９】
ここで、遊技機本体部３を構成する上記の各部材について相対的な位置関係と動作状態を簡単に説明する。図６は遊技機本体部３を模式的に示す図面であり、図６（ａ）は遊技機本体部３を背面側から見た図、図６（ｂ），（ｃ）はドアブロック４に対する遊技盤ブロック６と払出ブロック７の開放動作状況を示す図である。
【００５０】
図６（ａ）に示すように、ドアブロック４に対して遊技盤ブロック６や払出ブロック７を開放動作させるための軸線ＡＸ１は図の右側（正面から見ると左側）に設けられている。この軸線ＡＸ１は、遊技盤ブロック６を支持するための軸線と払出ブロック７を支持するための軸線とを兼ねるものとなっている。この場合、図示のＭ１，Ｍ２は遊技盤ブロック６を支持するための支持手段であり、Ｍ３，Ｍ４は払出ブロック７を支持するための支持手段である。つまり、遊技盤ブロック６用の支持手段Ｍ１，Ｍ２は同軸で上下一対に設けられている。また、払出ブロック７用の支持手段Ｍ３，Ｍ４は、支持手段Ｍ１，Ｍ２を挟むようにして同軸で上下一対に設けられており、更に支持手段Ｍ１，Ｍ２に対しても同軸となっている。
【００５１】
上記構成により、図６（ｂ），（ｃ）の各動作が可能となっている。図６（ｂ）では、ドアブロック４に対して遊技盤ブロック６と払出ブロック７とを一体的に開放動作させている。また、図６（ｃ）では、図６（ｂ）の状態から遊技盤ブロック６に対して払出ブロック７を開放動作させている。つまり、ドアブロック４に対して遊技盤ブロック６を閉じた状態では、払出ブロック７を遊技盤ブロック６に閉じた状態で止めているレバーにアクセスできないことから、ドアブロック４に対して遊技盤ブロック６を開いた状態にしなければ、払出ブロック７を開放動作できないようになっている。
【００５２】
（ドアブロック４の説明）
次に、ドアブロック４を、図７〜図１１を用いて詳細に説明する。ここで、図７，図８は、ドアブロック４を前方及び後方から見たそれぞれの分解斜視図である。また、図９，図１０は、ドアブロック４を構成する前扉体１１と背面枠１２とを分離してそれらを前方から及び後方から見た斜視図である。図１１は受皿ブロック１０の斜視図である。
【００５３】
ドアブロック４において、前扉体１１は、外枠２とほぼ同等の大きさ（縦寸法及び横寸法）を有し、その背面側に重なるようにして背面枠１２が取り付けられている。背面枠１２は、例えばアルミダイキャストにて成形されており、前扉体１１を補強する役目を有する他、遊技主要ブロック５（遊技盤ブロック６と払出ブロック７とからなる）を支持する役目を有するものである。
【００５４】
（前扉体１１の説明）
前扉体１１は、図１に示すように、後述するリール図柄や液晶図柄等を視認可能とする図柄視認部（視認窓２１）と、遊技に際し遊技者により手動操作される操作部３０と、上皿部１５１で余剰となった遊技球などを貯留するための下皿７１とを備える。
【００５５】
すなわち、図９等に示すように、前扉体１１の上半部には、図柄視認部として略台形状をなす視認窓２１が形成されている。この視認窓２１には、平坦な透明板よりなる透明パネル２２がはめ込まれており、この透明パネル２２を介してその内方が視認可能となっている。透明パネル２２は、後述する液晶表示装置（図１３に示す液晶表示装置５０４）の前面と、後述するリール装置（図１３に示すリール装置５０３）の前面とを覆うものであり、この透明パネル２２を介して液晶表示装置５０４（図１３参照）の表示画像やリール装置５０３（図１３参照）の図柄が視認される。
【００５６】
こうした比較的大型に構成される視認窓２１（透明パネル２２）によれば、大型の液晶表示装置を用いた画像の表示演出によって遊技者に多大なインパクトを与えることが可能になることに加え、本遊技機１の主表示装置たるリール装置５０３（図１３参照）の図柄の視認性が良好なものとなっている。
【００５７】
前扉体１１の周縁部には、視認窓２１を略囲むようにして、中央ランプ部２４と左右一対の側方ランプ部２５とが設けられるとともに、前扉体１１の右上隅部及び左上隅部にスピーカ部２６が設けられている。遊技に際しては、これらランプ部２４，２５やスピーカ部２６により、その都度の遊技状況に応じたランプ演出や音声演出等が行われる。すなわち、ランプ部２４，２５による発光色や発光パターンを適宜変更したり、スピーカ部２６による音声パターンを適宜変質したりすることで、役の成立等が遊技者に告知される。また、このランプ部２４，２５やスピーカ部２６を用いて、エラー告知等を行うことも可能である。
【００５８】
ちなみに、視認窓２１は、前扉体１１の左右幅に対して左右の側方ランプ部２５を除く範囲で設けられており、故に視認窓２１は左右に幅広いものとなっている。また言い加えると、視認窓２１は、後述するリール装置５０３（図１３参照）や液晶表示装置５０４（図１３参照）の横幅よりも幅広となっている。
【００５９】
視認窓２１の下方には、遊技者により操作される各種操作部材等を配備した操作部３０が設けられている。この操作部３０は、全体として横長状をなしかつ僅かに弧状をなす前面板部３１を有し、その前面板部３１には、スタートレバー３３が設けられるとともに、３連ボタンからなるストップスイッチ３５，３６，３７が設けられている。また、前面板部３１の上端部に位置するように、向かって左寄りの位置（概ねスタートレバー３３と左側のストップスイッチ３５との間）にベットスイッチ取付板部３２が形成されており、その取付板部３２にボタン状のベットスイッチ３８が取り付けられている。
【００６０】
ベットスイッチ３８は、遊技者によるベット（賭け数）の設定を行わせるものであり、その押し操作により上皿１５１に貯留された遊技球が所定個数分取り込まれる。本実施の形態では、ベットスイッチ３８として、いわゆるＭＡＸベットスイッチを設けており、有効な１回の押し操作により３ベット相当（１５個分）の遊技球が取り込まれる。ベットスイッチ３８は、投資価値としての遊技球の投入を指令する投入指令手段を構成する。なお、ＭＡＸベットスイッチとしてのベットスイッチ３８の他に、本遊技機１では、視認窓２１（透明パネル２２）と操作部３０との間に、左右方向に延びる長板状のサブパネル部５０が設けられており、このサブパネル部５０に１ベットスイッチ５５を備えている。１ベットスイッチ５５は、１回の押し操作により１ベット相当（５個分）の遊技球を取り込ませるためのベットスイッチである。また、２ベットスイッチを設ける構成としても良い。ちなみに、２ベットスイッチは、１回の押し操作により２ベット相当（１０個分）の遊技球を取り込ませるためのベットスイッチである。なお、これらの１ベットスイッチ５５や２ベットスイッチを備えない構成としてもよい。
【００６１】
スタートレバー３３は、後述するリール装置５０３（図１３参照）の各リール（回転体）を回転開始させるための操作部材であり、各リールを回転開始、すなわち図柄の可変表示を開始させるべく操作される始動操作手段を構成する。
【００６２】
ストップスイッチ３５〜３７は、停止対象となるリール（左、中、右の三列のリール）に対応するよう設けられており、回転中の各リールを個別に停止させるために操作される停止操作手段を構成する。各ストップスイッチ３５〜３７は、各リールが定速回転となると停止させることが可能な状態となり、かかる状態中には図示しないランプが点灯表示されることによって停止操作が可能であることが報知され、各リールの回転が停止すると消灯されるようになっている。
【００６３】
操作部３０の後方には、図７，図９に示すように、前面板部３１とほぼ同じ長さを有し上方に開口した横長状の開口部４１が形成されている。この開口部４１は、前扉体１１に受皿ブロック１０を装着した場合に上皿１５１を配するための開口領域であり，開口部４１の左右方向の幅寸法は上皿１５１の左右方向の幅寸法に概ね合致し、開口部４１の前後方向の幅寸法は上皿１５１の前後方向の幅寸法よりも若干短いものとなっている。
【００６４】
操作部３０の前面板部３１には、図７，図９に示すように、正面から見て右下部に切欠部４２が形成されている。この切欠部４２は、排出操作伝達装置（図示省略）の操作レバー１８８（図２参照）を設置するための設置スペースとなっている。
【００６５】
また、図１，図１１に示すように、受皿ブロック１０の右側上面部分には、貸球操作部５２が設けられている。貸球操作部５２は、例えば本遊技機１の側方（例えば左方）に配置された縦長のカードユニット（球貸しユニット）に紙幣やカード等を投入した状態で、球貸し操作、カード等の返却操作及び有効度数の確認を行うものであり、球貸しボタン５６と返却ボタン５７と度数表示部５８とが一体的に並設されている。この場合、球貸しボタン５６は、カード（記録媒体）等に記録された情報に基づいて貸出球を得るために操作されるものであり、カード等に残額が存在する限りにおいて貸出球が払い出される。返却ボタン５７は、カードユニットに挿入されたカード等の返却を求める際に操作される。度数表示部５８はカード等の残額情報を表示するものである。
【００６６】
さらに、サブパネル部５０は、図２に示すように、例えば２個の演出切換ボタン５９ａ，５９ｂとを備えている。例えば、遊技者が演出切換ボタン５９ａを選択すると、第１種類の演出表示などが行われ、演出切換ボタン５９ｂを選択すると、第２種類の演出表示などが行われるようになっている。
【００６７】
前扉体１１において、サブパネル部５０や貸球繰作部５２の左右の側方部には、奥側に後退するようにして弧状の凹み部６１が設けられており、その凹み部６１には、外枠２に対する遊技機本体部３の施錠及び解錠を行うための施錠装置１２０の後述する背面枠１２に設けたキーシリンダ錠１２５の前面側を露出して収納されるためのキーシリンダ設置穴６２（図９参照）が設置されている。
【００６８】
図１等で確認できるとおり左右の凹み部６１は、上皿１５１の両側で直ぐ上方に位置する。そのため、仮に遊技ホールにおいて球貸しユニットから延びる球貸しノズル（いわゆる象の鼻）を介して上皿１５１に遊技球が貸し出されるような場合にも、その球貸しノズルと前扉体１１との干渉を回避することができる。故に、遊技ホールでの設置状況を考えても有益な構成となっている。
【００６９】
更に、図１に示すように、前扉体１１において、操作部３０の下方には、凹部６１に連続するようにして膨出部７０が形成されており、その膨出部７０に囲まれるようにして下皿７１と灰皿７２が形成されている。図９に示すように、膨出部７０に囲まれた奥壁部７３には、下皿排出口７４とスピーカ穴７５とが形成されている。上皿１５１やその上流通路に遊技球が満タンに貯留されている状態であって更に払出装置（後述する図１６の払出装置６０８）から遊技球が払い出される場合、或いは、上皿１５１内に貯留されている遊技球に対して球抜き操作が行われる場合には、下皿排出口７４を介して下皿７１に遊技球が排出される。
【００７０】
図９に示すように、下皿７１の底部には開口が形成されており、その開口には開閉板７６が設けられている。また、膨出部７０の略中央部には下皿用の球抜き操作片７７が設けられている。球抜き操作片７７は、下皿７１に貯留している遊技球を下皿７１の下方に置かれた球収容箱（いわゆるドル箱）に排出するための操作片であり、図示する通常位置から左方に操作されることで開閉板７６が開位置にスライド移動し、下皿７１内の遊技球の排出が行われる。その他、膨出部７０において下皿７１の左右両側方には下皿ランプ部７８が設けられている。
【００７１】
図１０に示すように、前扉体１１の背面側の構成として、視認窓２１の左右両側には側方ランプ部２５を収容するランプ収容部９１が設けられている。
【００７２】
ここで透明パネル２２の取り付け手順を説明する。視認窓２１の下縁部にはパネル厚み分の幅でパネル受溝９３が形成されている。透明パネル２２は、前扉体１１の後方から、その下端部がパネル受溝９３に嵌め込まれるとともに、その上端部が前扉体１１の背面部に当接される。そしてその状態で、透明パネル２２の前扉体１１への取り付けが完了する。
【００７３】
（背面枠１２の説明）
図９や図１０に示すように、背面枠１２は、前扉体１１と略相似形をなす矩形状をなしており、概ね等しい細幅の左枠部１０１、右枠部１０２及び上枠部１０３と、それらよりも広幅の下枠部１０４とを有する。これら各枠部１０１〜１０４に囲まれる部位が中央開口部１０５となっており、背面枠１２の背面側には、下枠部１０４の上縁部の一部を除く範囲で中央開口部１０５を囲むようにして一定高さのリブ１０６が形成されている。また、背面枠１２において、外周縁部には前方に直角に折れ曲がった返し部１０７（図９，図１０参照）が形成されている。前扉体１１に対して背面枠１２を組み付けた際には、返し部１０７は前扉体１１の外縁部の内側に重なり、それによって前扉体１１と背面枠１２との間に空間が形成される。そしてこの空間を利用してランプ装置等が配設されるようになっている。
【００７４】
前述したように本遊技機１は、正面から見て左側に開閉軸線が設けられる構成となっており、上枠部１０３と下枠部１０４には前述のヒンジ金具８が上下２箇所に取り付けられている。
【００７５】
また、左枠部１０１には、リブ１０６の先端部から後方に延びるようにして上下一対の軸金具１１０，１１１が所定間隔を隔てて取り付けられている。この軸金具１１０，１１１は、遊技盤ブロック６や払出ブロック７を回動可能に支持するための金具部材である。軸金具１１０，１１１は共に略コ字状をなしており、軸金具１１０には上下に軸受け部１１０ａ，１１０ｂが形成され、軸金具１１１には上下に軸受け部１１１ａ，１１１ｂが形成されている。これら軸金具１１０，１１１の各軸受け部１１０ａ，１１０ｂ，１１１ａ，１１１ｂには軸孔が形成されており、軸金具１１０，１１１は全ての軸孔が何れも同一の軸線上に配置されるようリブ１０６に固定されている。
【００７６】
かかる場合、軸金具１１０の下側の軸受け部１１０ｂと軸金具１１１の上側の軸受け部１１１ａとが遊技盤ブロック６を支持するための遊技盤ブロック支持手段（図６（ａ）の支持手段Ｍ１，Ｍ２）に相当し、軸金具１１０の上側の軸受け部１１０ａと軸金具１１１の下側の軸受け部１１１ｂと払出ブロック７を支持するための払出ブロック支持手段（図６（ａ）の支持手段Ｍ３，Ｍ４）に相当する。
【００７７】
また、右枠部１０２には、図９，図１０に示すように、ドアブロック４と遊技主要ブロック５とを個別に開放不能な施錠状態で保持するための施錠装置１２０が設けられている。
【００７８】
施錠装置１２０は、図１〜図４に示すように、操作キーが挿入される鍵穴１２５ａを備え、この鍵穴１２５ａに挿入された操作キーが第１の方向（例えば時計方向）に回動操作されることで遊技機本体部３を解錠するとともに、鍵穴１２５ａに挿入された操作キーが第１の方向とは異なる第２の方向（例えば反時計方向）に回動操作されることで遊技主要ブロック５を解錠するものである。
【００７９】
下枠部１０４には、図９，図１０に示すように、前扉体１１に設けた下皿排出口７４に連通する連通口１３１が設けられるとともに、スピーカ穴７５から前方に露出するスピーカ１３２が設けられている。
【００８０】
背面枠１２の背面側には、遊技主要ブロック５の固定手段、つまり、操作キーを反時計周りに回動操作にかかわらず遊技主要ブロック５のドアブロック４への固定を維持するための後述するロック部材６２７（図３参照）が係止する鉤金具１３７が設けられている。
【００８１】
背面枠１２は、前扉体１１に対してネジ等の締結具を用いて取り付け固定される。
【００８２】
（受皿ブロック１０の説明）
次に、受皿ブロック１０について説明する。受皿ブロック１０は、図１１に示すように、順次に取打込まれる遊技球を一時的に貯留する機能を有する上皿１５１と、払出装置（後述する図１６の払出装置６０８）などから供給される遊技球を上皿１５１や下皿７１などに流通させる機能を有する球通路形成体１５２と、遊技球の取込機能を有する取込ユニット１５３（図７参照）とを備えるものである。
【００８３】
（受皿ブロック１０としての動作説明）
上記の如く構成される受皿ブロック１０において、上皿１５１に多数の遊技球が貯留されている状態では、遊技球は上皿１５１の最下流部での三列に分岐した案内通路（図示省略）で各一列に整列され、その整列状態での遊技球が取込ユニット１５３の三個の取込装置（図示省略）で並列的に取り込まれる。この取り込まれた遊技球は、所定通路で流れて外部（遊技ホールの島設備）に排出される。また、遊技球排出時（球抜き時）には、遊技球が、三個の取込装置（図示省略）の排出通路に流れて最終的に下皿７１に排出される。
【００８４】
一方、後述する図１６の払出装置６０８等から遊技球分配部材（図示省略）に遊技球が供給されると、この遊技球分配部材（図示省略）に設けられた各通路（図示省略）による振り分けによって、遊技球が上皿１５１、下皿排出通路（図示省略）、外部排出通路（図示省略）のいずれかに分配される。
【００８５】
（遊技盤ブロック６の説明）
次に、遊技盤ブロック６について図１２〜図１５を用いて説明する。図１２は遊技盤ブロック６の後方斜視図である。図１３は遊技盤ブロック６の分解斜視図である。図１４は、前面枠体５０１とリール装置５０３との斜視図である。
【００８６】
遊技盤ブロック６は、図１２，図１３に示すように、合成樹脂製の前面枠体５０１と、図柄表示装置としてのリール装置５０３と、補助演出装置としての液晶表示装置５０４と、遊技に関わる主たる各種制御を実施する主制御装置５０５と、主制御装置５０５からの指令に基づく従たる表示制御等を実施するサブ制御装置５０６とを備えている。この場合、遊技盤ブロック６は、本遊技機１の遊技内容を決定する主要部品を全て備える構成となっており、仮に遊技ホール等において機種入替を行う場合には、この遊技盤ブロック６を現機種のものから新たな機種のものに入れ替えることで機種入替を行うことができるようになっている。すなわち、遊技盤ブロック６は機種入替時などにおける交換ユニットとなっている。
【００８７】
（前面枠体５０１の説明）
図１３に示すように、前面枠体５０１は、いずれも横長の矩形状をなす上下２つの開口が設けられており、それぞれ上側表示窓５１３、下側表示窓５１４となっている。上側表示窓５１３は、液晶表示装置５０４が装着され、液晶表示装置５０４による表示画像を表示するための液晶画像表示部に相当し、下側表示窓５１４は、リール装置５０３が装着され、リール装置５０３の外周に付されたリール図柄を表示するためのリール図柄表示部に相当する。
【００８８】
図１４に示すように、前面枠体５０１は、背面視で右側に、支持金具５３３が取り付けられている。支持金具５３３には上下一対の支軸５３４ａ，５３４ｂが設けられている。支持金具５３３の支軸５３４ａ，５３４ｂは、遊技盤ブロック６をドアブロック４に回動可能に支持するための支持手段を構成するものであり、この支軸５３４ａ，５３４ｂがドアブロック４に設けられた軸金具１１０，１１１の軸受け部１１０ｂ，１１１ａの軸孔（図８等参照）に差し入れられるようになっている。なお、ドアブロック４側の軸受け部１１０ｂ，１１１ａと遊技盤ブロック６側の支軸５３４ａ，５３４ｂとが図６に示す「遊技盤ブロック６用の支持手段Ｍ１，Ｍ２」に相当する。
【００８９】
遊技盤ブロック６をドアブロック４に装着した状態を想定すると、上側表示窓５１３の周囲部分は正面視で透明パネル２２の上側部分に位置し若干下方を向くように設けられ、下側表示窓５１４の周囲部分は、正面視で同透明パネル２２の下側部分に位置し若干上方を向くようにして設けられることとなる。
【００９０】
（リール装置５０３の説明）
リール装置５０３は、金属製のケース部材５４０と、そのケース部材５４０に収容される左・中・右の３つのリール５４１，５４２，５４３とを具備している。ケース部材５４０は、その内部に３つのリール５４１〜５４３を回転可能に収容し、かつ、リール５４１〜５４３の一部を前方に現出させるものとなっている。ケース部材５４０において上面部の前側端部には、上方に折り曲げて形一成された支持固定部５４５が設けられ、下面部の前側端部には、下方に折り曲げて形成された支持固定部５４６が設けられている。これら支持固定部５４５，５４６は、リール装置５０３を前面枠体５０１の背面側に取り付けるための取付手段を構成するものである。
【００９１】
支持固定部５４５，５４６にはそれぞれ左右２カ所に孔部５４５ａ，５４６ａが設けられており、本リール装置５０３の前面枠体５０１への取り付け固定は、各孔部５４５ａ，５４６ａに挿通させたネジを前面枠体５０１のネジ穴にネジ止めさせることにより行われている。
【００９２】
各リール５４１〜５４３の構成について周知であり、ここでは詳細な図示を省略するが、その構成を簡単に説明する。各リール５４１〜５４３は、円筒状のかごを形成する円筒骨格部材と、その外周に巻回された帯状のベルトとを備えている。ベルトの外周面には、識別情報としての図柄が等間隔ごとに多数印刷されている（例えば２１図柄）。各リール５４１〜５４３の中央部には、駆動源としてのステッピングモータが設けられており、該ステッピングモータの駆動により各リール５４１〜５４３が個別に、すなわちそれぞれ独立して回転駆動される。リール装置５０３には、その他の構成として、各リール５４１〜５４３の回転位置を検出するためのリールインデックスセンサ（回転位置検出センサ）が設置されている。また、各リール５４１〜５４３の内周側には、蛍光ランプ等よりなるバックライト（後方発光手段）が設けられており、このバックライトにより、リール外周面に付された各図柄が後方より明るく照らされるようになっている。バックライトの発光によって、リール外周面に付された各図柄の視認性の向上や、遊技に際し補助的な演出の多様化を図ることができる。
【００９３】
（主制御装置５０５等の説明）
次に、主制御装置５０５やサブ制御装置５０６等の構成を、図１３等を用いて説明する。
【００９４】
主制御装置５０５は、ＣＰＵやメモリ等の電子部品が実装された主制御基板５６１と、この主制御基板５６１を収容するための略直方体形状のケース部材（ケース台５６２及びケースカバー５６３）と、主制御基板５６１を収容したケース部材が取り付けられる取付台５６４とから構成されている。ケース台５６２及びケースカバー５６３は透明な合成樹脂材料にて成形されており、この透明なケース台５６２及びケースカバー５６３によってその内部の主制御基板５６１が視認可能となっている。
【００９５】
なお、ケース台５６２及びケースカバー５６３には、これら各部材を連結する封印手段としての図示しない封印部（いわゆるカシメ部）が設けられている。封印部は、破壊等を伴うことでケース部材を開封可能とするものであり、開封後には破壊などがなされた部材が開封履歴として残るため、その開封履歴によって開封事実の確認が可能となっている。これにより、仮にケース部材が不正に開封された場合などにおいては、封印部の確認によって不正行為の発見が可能となっている。
【００９６】
サブ制御装置５０６は、ＣＰＵやメモリ等の電子部品が実装されたサブ制御基板５７１と、このサブ制御基板５７１を収容するための略直方体形状のケース部材（ケース台５７２及びケースカバー５７３）とから構成されている。ケース台５７２及びケースカバー５７３は透明な合成樹脂材料にて成形されており、この透明なケース台５７２及びケースカバー５７３によってその内部のサブ制御基板５７１が視認可能となっている。
【００９７】
液晶表示装置５０４は、液晶パネル５８１と、この液晶パネル５８１を駆動する液晶ドライバ５８２とにより構成されている。
【００９８】
（遊技盤ブロック６として完成状態の説明）
遊技盤ブロック６の完成状態を図１２を用いて説明する。遊技盤ブロック６としては、前面枠体５０１に、その背後からリール装置５０３が取り付けられ、同じく前面枠体５０１の背後でリール装置５０３の上方に液晶表示装置５０４が取り付けられている。また、リール装置５０３の側方に主制御装置５０５が取り付けられるとともに、同リール装置５０３の上方にサブ制御装置５０６が取り付けられている。
【００９９】
遊技盤ブロック６において、前面枠体５０１の上側表示窓５１３からは液晶パネル５８１のパネル面全体が視認できる。また，同前面枠体５０１の下側表示窓５１４からはリール装置５０３の各リール５４１〜５４３の一部が視認できる。このとき、各リール５４１〜５４３の外周に付された多数（本実施の形態では２１個）の図柄のうち、リール毎に３つずつの図柄が下側表示窓５１４を通じて視認できるようになっている。
【０１００】
（払出ブロック７の説明）
次に、払出ブロック７について図１５，図１６を用いて説明する。図１５は払出ブロック７の斜視図、図１６は払出ブロック７の背面図である。
【０１０１】
払出ブロック７は、合成樹脂材料にて一体成形された裏カバー部材６０１と、遊技球を払い出すための払出機構６０２とが一体化されることにより構成されている。裏カバー部材６０１は、略平坦状のベース部６０３と、後方（遊技機１の後方）に突出し略直方体形状をなす保護カバー部６０４とを有する。保護カバー部６０４は左右及び上下の各面と背面とが閉鎖された形状をなし、少なくとも遊技盤ブロック６の背面側構成（主制御装置５０５とリール装置５０３とサブ制御装置５０６）を収容するのに十分な大きさを有する。なお、保護カバー部６０４の背面には、図１５，図１６に示すように、多数の通気孔が設けられている。
【０１０２】
払出機構６０２は、保護カバー部６０４を迂回するようにして裏カバー部材６０１のべース部６０３に取り付けられている。すなわち、裏カバー部材６０１の最上部には上方に開口したタンク６０５が設けられており、タンク６０５には遊技ホールの島設備から供給される遊技球が逐次補給される。タンク６０５の下方には、例えば横方向２列（２条）の球通路を有し下流側に向けて緩やかに傾斜するタンクレール６０６が連結され、タンクレール６０６の下流側には上下方向に延びるケースレール６０７が連結されている。
【０１０３】
払出装置６０８はケースレール６０７の最下流部に設けられ、受皿ブロック１０に設けた払出制御装置１５７からの制御信号により払出ソレノイド６０９が駆動されて必要個数の遊技球の払出が適宜行われる。払出装置６０８より払い出された遊技球は払出通路〈図示省略〉等を通じて上皿１５１に供給される。図示は省略するが、ケースレール６０７の上流部には、タンク６０５やタンクレール６０６から供給される遊技球の有無を検出するタンク球無しセンサが設けられている。また、払出装置６０８には、遊技球を払い出す払出ソレノイド６０９と、その払い出される遊技球数をカウントする払出カウントスイッチとが設けられている。
【０１０４】
払出機構６０２には、払出制御装置１５７から払出装置６０８への払出指令の信号を中継する払出中継基板６１１が設置されている。その他、払出機構６０２には、外部より主電源を取り込むための電源スイッチ基板（図示省略）が設置されている。
【０１０５】
払出機構６０２におけるタンクや通路部材類はいずれも導電性を有する合成樹脂材料、例えば導電性ポリカーボネート樹脂にて成形され、その一部にてアースされている。これにより、遊技球の帯電によるノイズの発生が抑制されるようになっている。
【０１０６】
裏カバー部材６０１には、図１５に示すように、背面側から見て右端部に上下一対の支軸６２１ａ，６２１ｂが設けられている。この支軸６２１ａ，６２１ｂは、払出ブロック７をドアブロック４に回動可能に支持するための支持手段を構成するものであり、この支軸６２１ａ，６２１ｂがドアブロック４に設けられた軸金具１１０，１１１の軸受け部１１０ａ，１１１ｂの軸孔（図１０等参照）に差し入れられるようになっている。なお、ドアブロック４側の軸受け部１１０ａ，１１１ｂと払出ブロック７側の支軸６２１ａ，６２１ｂとが図６に示す「払出ブロック７用の支持手段Ｍ３，Ｍ４」に相当する。
【０１０７】
また、図３に示すように、払出ブロック７の裏面視で右上隅箇所と下端中央箇所（図示省略）の箇所には、遊技主要ブロック５をドアブロック４に装着した状態で固定するための装着固定手段（ロック部材６２７）がそれぞれ設けられている。つまり、図３に示すように、遊技機本体部３が外枠２に対して片開きされた状態において、両方のロック部材６２７を解除することで、ドアブロック４の鉤金具１３７との固定が解除され、ロック部材６２７による遊技主要ブロック５のドアブロック４への固定を解除することができるので、後述するように施錠装置１２０に操作キーを挿入し、反時計周りに回動させることで、遊技主要ブロック５をドアブロック４に対して片開き状態とすることができる。つまり、予めロック部材６２７を解除し、操作キーを時計周りに回動操作して施錠装置１２０による遊技主要ブロック５のドアブロック４への施錠を解除することで、遊技主要ブロック５をドアブロック４に対して片開き状態とすることができる。
【０１０８】
なお、この片開き状態において遊技主要ブロック５を高さ方向に上げることで、遊技盤ブロック６の支軸５３４ａ，５３４ｂのドアブロック４の軸受け部１１０ｂ，１１１ａへの軸支が解除され、かつ、裏カバー部材６０１の支軸６２１ａ，６２１ｂのドアブロック４の軸受け部１１０ａ，１１１ｂへの軸支が解除され、遊技主要ブロック５がドアブロック４から取り外しできるようになっている。
【０１０９】
また、図４に示すように、遊技盤ブロック６の裏面視で左上隅と左下隅の箇所には、払出ブロック７を当該遊技盤ブロック６に装着した状態で固定するための装着固定手段（ロック部材６２５）がそれぞれ設けられている。つまり、図４に示すように、遊技主要ブロック５がドアブロック４に対して片開きされた状態において、ロック部材６２５を解除することで、払出ブロック７の鉤金具６２６との固定が解除され、払出ブロック７を遊技盤ブロック６に対して片開き状態とすることができる。
【０１１０】
なお、この片開き状態において払出ブロック７を高さ方向に上げることで、裏カバー部材６０１の支軸６２１ａ，６２１ｂのドアブロック４の軸受け部１１０ａ，１１１ｂへの軸支が解除され、払出ブロック７が遊技盤ブロック６から取り外しできるようになっている。また、払出ブロック７を遊技盤ブロック６に対して閉じた状態にしてロック部材６２５でロックする、つまりロック部材６２５を鉤金具６２６に係止させることで、払出ブロック７を遊技盤ブロック６に装着した状態で固定することができる。
【０１１１】
次に、本実施例の遊技機１のさらなる特徴部分の構成について説明する。
【０１１２】
本実施例の遊技機１は、図４を用いて前述したように、外枠２と、この外枠２の前面側で当該外枠２に対して開閉可能に支持されるドアブロック４と、このドアブロック４の裏面側に設けられて当該ドアブロック４に対して開閉可能に支持される遊技主要ブロック５とを備えている。
【０１１３】
また、遊技主要ブロック５を構成する遊技盤ブロック６は、図１２に示すように、複数の図柄（例えば、遊技者に大当たりの有無を知らせるための各種の図柄）が表示されたリール５４１〜５４３（図１４参照）を回動・停止するリール装置５０３と、このリール５４１〜５４３の回動などと連動して遊技表示演出を表示する液晶表示装置５０４とが取り付けられ、かつ、図１３に示すように、その前面側から液晶表示装置５０４の表示画面とリール装置５０３のリール５４１〜５４３の部分とが視認可能となっており、図１４に示すように、裏面視でその周縁部分のうちで少なくとも液晶表示装置５０４の周囲での所定箇所が裏面側の方に延出した延出縁６３０を備えている。
【０１１４】
具体的には、実施例１での遊技盤ブロック６の前面枠体５０１は、図１４に示すように、裏面視でその周縁部分でのほぼ全箇所に、裏面側の方に延出した延出縁６３０を備えている。この延出縁６３０は、図１４に示すように、前面枠体５０１の前面側に近い第１延出縁６３１と、この第１延出縁６３１から前面枠体５０１の裏面側に向けて一段上る上り段差延出縁６３３とを有する二段構造となっている。
【０１１５】
ドアブロック４は、図３，図４に示すように、遊技盤ブロック６を閉じた状態で当該遊技盤ブロック６の延出縁６３０を覆うリブ６５５を備えている。
【０１１６】
ドアブロック４は、図１，図２に示すように、リール装置５０３でのリール５４１〜５４３（図１４参照）が視認可能な視認窓２１を備え、かつ、遊技に関する固定情報（例えば、名称、キャラクタまたは遊技説明の少なくとも一つ）を表示するサブパネル部５０を視認窓２１の以外の箇所（具体的には、視認窓２１の下方箇所）に備えている。
【０１１７】
ここで、サブパネル部５０の構成について、図１７〜図２１を用いて説明する。
【０１１８】
図１７は、遊技盤ブロック６の前面側のシート体６６０などを分解した状態の斜視図である。図１８は、サブパネル部５０の表示パネル６６３を外した状態の遊技盤ブロック６を前方右上側から見た斜視図である。図１９は、図１８でのサブパネル部５０の右側箇所の拡大斜視図である。図２０は、サブパネル部５０の表示パネル６６３を外した状態の遊技盤ブロック６を前方左上側から見た斜視図である。図２１は、図２０でのサブパネル部５０の右側箇所の拡大斜視図である。
【０１１９】
サブパネル部５０は、図１に示すように、横長の長方形状の透明プレート６６１を備えている。また、図３に示すようにドアブロック４の裏面側に遊技主要ブロック５が閉じられた状態では、この透明プレート６６１の背後に、遊技盤ブロック６の後述する表示パネル６６３が対向するようになっている。つまり、サブパネル部５０は、図１７に示すように、遊技に関する固定情報（例えば、名称、キャラクタまたは遊技説明の少なくとも一つ）が表示された表示パネル６６３を備えている。なお、この表示パネル６６３は、名称、キャラクタまたは遊技説明のうちの少なくとも一つを表示したものとしてもよい。
【０１２０】
また、このサブパネル部５０は、図１８〜図２１に示すように、表示パネル６６３に向けて光を照射する棒状の冷陰極管６７０と、冷陰極管６７０を表示パネル６６３の背面側に固定する固定部材６８０と、冷陰極管６７０での管内電極部（図示省略）がそれぞれ存する両端部のうちの一方の端部である第１端部６７１と表示パネル６６３との間に配置された、４個の発光ダイオード６９１や４個の７セグメント表示器６９２からなる表示部６９３を有する表示用基板６９５とを備えている。
【０１２１】
また、この冷陰極管６７０での管内電極部（図示省略）には、例えば、点灯周波数が３０〜５０〔ｋＨｚ〕の交流１０００ボルト〔Ｖ〕がケーブル６７４（図２２参照）を通じて印加されている。
【０１２２】
これらの７セグメント表示器６９２は、小役成立時における獲得球数を表示する獲得球数表示部や、ビッグボーナスやレギュラーボーナス等の特別遊技状態の際に例えば残りのゲーム数等を表示するゲーム数表示部に対応するものである。これら獲得球数表示部やゲーム数表示部は、７セグメント表示器６９２によって構成されているが、液晶表示器等によって代替することは当然可能である。
【０１２３】
また、表示パネル６６３は、図１７に破線で示すように、表示用基板６９５の表示部６９３での表示によって所定の遊技情報が表示される遊技情報表示領域６９７を、この表示用基板６９５の対応する箇所に備えている。
【０１２４】
ここで、固定部材６８０や冷陰極管６７０などの構成について、図２２〜図３１を用いて説明する。
【０１２５】
図２２は、図１８のサブパネル部５０の表示用基板６９５を外した状態の遊技盤ブロック６を前方右上側から見た斜視図である。図２３は、図２２でのサブパネル部５０の右側箇所の拡大斜視図である。図２４は、図２０のサブパネル部５０の表示用基板６９５を外した状態の遊技盤ブロック６を前方左上側から見た斜視図である。図２５は、図２４でのサブパネル部５０の右側箇所の拡大斜視図である。図２６は、図２２のサブパネル部５０の冷陰極管６７０を外した状態の遊技盤ブロック６を前方右上側から見た斜視図である。図２７は、図２６でのサブパネル部５０の右側箇所の拡大斜視図である。図２８は、図２４のサブパネル部５０の冷陰極管６７０を外した状態の遊技盤ブロック６を前方左上側から見た斜視図である。図２９は、図２８でのサブパネル部５０の右側箇所の拡大斜視図である。図３０（ａ）は、サブパネル部５０を冷陰極管６７０の長手方向に沿って縦断面して正面側から見た場合の右側箇所の縦断面図であり、図３０（ｂ）は、サブパネル部５０を正面縦方向に断面して右横から見た場合の縦断面図である。図３１（ａ）は、表示パネル６６３を外した状態で冷陰極管６７０の取り付け前の状態でのサブパネル部５０の左側箇所の拡大斜視図であり、図３１（ｂ）は、冷陰極管６７０の取り付けた状態でのサブパネル部５０の左側箇所の拡大斜視図である。
【０１２６】
また、固定部材６８０は、図２２〜図２６に示すように、冷陰極管６７０の第１端部６７１の箇所を覆う覆い部６８１を備えている。
【０１２７】
覆い部６８１は、図２８〜図３０に示すように、冷陰極管６７０の第１端部６７１が挿入される筒状部材６８２としている。
【０１２８】
筒状部材６８２は、図２９，図３０に示すように、その両端のうちの一方側に、冷陰極管６７０の端部が挿入される挿入口６８２ａを備え、図３０（ａ）に示すように、その他方側を閉鎖した閉鎖部６８２ｂを備えている。つまり、この筒状部材６８２は、有底筒状となっている。
【０１２９】
冷陰極管６７０での筒状部材６８２に挿入される第１端部６７１および筒状部材６８２は、図２６〜２９および図３０（ｂ）に示すように、筒状部材６８２に挿入された冷陰極管６７０がその長手方向を軸心として回動することを抑止する嵌合部６８３を備えている。
【０１３０】
具体的には、嵌合部６８３は、図３０（ｂ）に示すように、冷陰極管６７０の第１端部６７１の外周の所定箇所に形成された第１平面部６７３と、筒状部材６８２の内周の所定箇所に形成された、第１平面部６７３に対応する第２平面部６８４とを備え、冷陰極管６７０の第１端部６７１が筒状部材６８２に挿入された状態で、第１平面部６７３と第２平面部６８４との当接によって冷陰極管６７０の回動を抑止するものである。
【０１３１】
筒状部材６８２は、図２９，図３０（ｂ）に示すように、その内部での表示パネル６６３から離れた箇所である背面箇所に、冷陰極管６７０の第１端部６７１が当該背面箇所からさらに背面方向に移動するのを規制する規制部６８５を備えている。
【０１３２】
さらに、筒状部材６８２は、図２９，図３０（ｂ）に示すように、冷陰極管６７０の第１端部６７１内の管内電極部に接続されたケーブル６７４が敷設される敷設空間部６８６を、この筒状部材６８２の内部で規制部６８５よりも背面方向に形成している。
【０１３３】
固定部材６８０は、図２２，図２６に示すように、冷陰極管６７０の両端のうちで筒状部材６８２に挿入される第１端部６７１とは反対側の端部である第２端部６７２を保持する保持部６８７を備えている。
【０１３４】
保持部６８７は、表示パネル６６３に向けて突出して所定の間隔を空けて配設された一対の保持片６８８，６８８を有し、この一対の保持片６８８，６８８の間に冷陰極管６７０の第２端部６７２が表示パネル６６３側から入れられて保持されるようになっている。
【０１３５】
この実施例では、冷陰極管６７０の第２端部６７２は、図３１（ａ）に示すように、外周で両側箇所に形成された一対の第３平面部６７５，６７５を備えている。また、一対の保持片６８８，６８８は、図３１（ａ）に示すように、その互いに向き合う面側に、一対の第３平面部６７５，６７５と対応する第４平面部６８９，６８９を備えている。図３１（ｂ）に示すように、一対の保持片６８８，６８８の両第４平面部６８９，６８９に第２端部６７２の一対の第３平面部６７５，６７５がそれぞれ対向して当接する状態でこの一対の保持片６８８，６８８の間に第２端部６７２が保持されるようになっている。
【０１３６】
また、冷陰極管６７０の第１端部６７１および第２端部６７２は、冷陰極蛍光管の両端に固定されたゴムベース等の絶縁部品である。
【０１３７】
なお、上述した外枠２は本発明の本体部材に相当し、上述したドアブロック４は本発明の扉部材に相当し、上述したリール装置５０３は本発明の回動リール装置に相当し、上述したサブパネル部５０は本発明の情報表示手段に相当し、上述した固定部材６８０は本発明の固定手段に相当し、上述した表示用基板６９５は本発明の表示制御基板に相当し、上述した嵌合部６８３は本発明の嵌合手段に相当する。
【０１３８】
ここで、冷陰極管６７０を固定部材６８０に取り付ける手順について説明する。
【０１３９】
図２６に示すように、冷陰極管６７０を略水平姿勢で遊技盤ブロック６のサブパネル部５０に近づけていき、まず、冷陰極管６７０の第２端部６７２を、図３１（ｂ）に示すように、固定部材６８０の保持部６８７、つまり一対の保持片６８８，６８８の間に押し込む（保持させる）。つまり、この冷陰極管６７０を片取付状態とする。
【０１４０】
続いて、この片取付状態の冷陰極管６７０の第１端部６７１が固定部材６８０の筒状部材６８２に挿入されるように正面視で右側方向にスライド移動させ、図２８〜図３０に示すように冷陰極管６７０の第１端部６７１を筒状部材６８２に挿入する。
【０１４１】
図３０に示すように冷陰極管６７０の第１端部６７１が筒状部材６８２に挿入された状態では、図３１（ｂ）に示すように冷陰極管６７０の第２端部６７２が一対の保持片６８８，６８８の間に保持された状態のままである。
【０１４２】
このようにして、冷陰極管６７０を表示パネル６６３の背面側に固定される。つまり、冷陰極管６７０の第２端部６７２を固定部材６８０の一対の保持片６８８，６８８間に押し入んだ片取付状態からその第１端部６７１を筒状部材６８２に挿入するようにスライド移動させるようにして冷陰極管６７０を取り付けている。また、取り外す際にはその逆の手順で行えばよい。
【０１４３】
上述したように、本実施例の遊技機１によれば、外枠２と、この外枠２の前面側で当該外枠２に対して開閉可能に支持されるドアブロック４と、複数の図柄（例えば、遊技者に大当たりの有無を知らせるための各種の図柄）が表示されたリール５４１〜５４３を回動・停止するリール装置５０３とを備え、ドアブロック４は、リール装置５０３でのリール５４１〜５４３が視認可能な視認窓２１を備え、かつ、遊技に関する固定情報（例えば、名称、キャラクタまたは遊技説明の少なくとも一つ）を表示するサブパネル部５０を視認窓２１の以外の箇所に備え、サブパネル部５０は、遊技に関する固定情報（例えば、名称、キャラクタまたは遊技説明の少なくとも一つ）が表示された表示パネル６６３と、この表示パネル６６３に向けて光を照射する棒状の冷陰極管６７０と、この冷陰極管６７０を表示パネル６６３の背面側に固定する固定部材６８０と、冷陰極管６７０での管内電極部がそれぞれ存する両端部のうちの一方の端部である第１端部６７１（表示用基板６９５に近い方の端部）と表示パネル６６３との間に配置された、表示部６９３を有する表示用基板６９５とを備え、表示パネル６６３は、表示用基板６９５の表示部６９３での表示によって所定の遊技情報が表示される遊技情報表示領域６９７を、表示用基板６９５の対応する箇所に設け、固定部材６８０は、冷陰極管６７０の第１端部６７１の箇所を覆う覆い部６８１を備えている。
【０１４４】
したがって、表示用基板６９５の表示部６９３での表示によって所定の遊技情報が表示される遊技情報表示領域６９７をサブパネル部５０の表示パネル６６３の方に移設することで、遊技者が常に注視する注視領域に、より大きな液晶表示装置などの表示装置を配置可能とすることができ、さらなる遊技の興趣性の向上を図ることができ、ドアブロック４（前面扉）の注視領域を遊技の興趣性向上に関して有効活用できる。
【０１４５】
さらに、固定部材６８０は冷陰極管６７０を表示パネル６６３の背面側に固定し、この固定部材６８０の覆い部６８１は、冷陰極管６７０での表示用基板６９５に近い方の端部である第１端部６７１の箇所を覆っているので、冷陰極管６７０の第１端部６７１と遊技情報表示装置（例えば表示用基板６９５）との距離をとることができ、つまり、両者についての空間距離ではなく沿面距離をとることができ、冷陰極管６７０の第１端部６７１により遊技情報表示装置（例えば表示用基板６９５）が悪影響（例えば、高電圧や静電気などによる悪影響）を受けることを低減できる。また、冷陰極管６７０の両端部、正確にはガラス管の両端部でその内部に封止配設された各電極にはこの電極に接続されたケーブル６７４を介して高電圧が印加されているが、冷陰極管６７０での高電圧印加電極を内在する第１端部６７１が固定手段の覆い部６８１で覆われているので、冷陰極管６７０の第１端部６７１が遊技情報表示装置に接触することを防止できる。
【０１４６】
その結果、ドアブロック４（前面扉）での注視領域（例えば、視認窓や液晶表示装置等が配置される領域であって遊技者によって注視される領域）を遊技の興趣性向上に関して有効活用することができ、かつ、遊技情報表示装置（例えば表示用基板６９５）に悪影響を及ぼすことが低減できる遊技機を提供することができる。
【０１４７】
また、冷陰極管６７０での表示用基板６９５に近い方の端部である第１端部６７１の箇所は、覆い部６８１としての筒状部材６８２に挿入された状態となっているので、この筒状部材６８２に挿入された冷陰極管６７０の第１端部６７１が、振動や何かが引っ掛る等の外的要因で直接前方に外れて表示用基板６９５に接触するようなことがなく、固定部材６８０でもってより安全に冷陰極管６７０を固定することができる。
【０１４８】
また、筒状部材６８２は、その両端のうちの一方側に、冷陰極管６７０の端部が挿入される挿入口６８２ａを備え、その他方側を閉鎖した閉鎖部６８２ｂを備えているので、筒状部材６８２の挿入口６８２ａから挿入された冷陰極管６７０の第１端部６７１はこの筒状部材６８２の閉鎖部６８２ｂで止められ、冷陰極管６７０がその筒状部材６８２の他方側から突き出たり抜け落ちたりすることがない。また、筒状部材６８２の他端側が閉鎖部６８２ｂとなっているので、冷陰極管６７０の第１端部６７１と遊技情報表示装置（例えば表示用基板６９５）との距離をとることができ、つまり、両者についての空間距離ではなく沿面距離をとることができ、冷陰極管６７０の第１端部６７１により遊技情報表示装置（例えば表示用基板６９５）が悪影響（例えば、高電圧や静電気などによる悪影響）を受けることを低減できる。
【０１４９】
また、冷陰極管６７０の筒状部材６８２に挿入される第１端部６７１および筒状部材６８２は、筒状部材６８２に挿入された冷陰極管６７０がその長手方向を軸心として回動することを抑止する嵌合部６８３を備えているので、筒状部材６８２に挿入された冷陰極管６７０がその長手方向を軸心として回動することを抑止でき、冷陰極管６７０に接続されたケーブル６７４の筒状部材６８２内の位置がこの冷陰極管６７０の回動によって変更されることを低減でき、冷陰極管６７０の回動によってこの冷陰極管６７０のケーブル６７４に無理な負荷がかかることを低減できる。
【０１５０】
また、嵌合部６８３は、冷陰極管６７０の第１端部６７１の外周の所定箇所に形成された第１平面部６７３と、筒状部材６８２の内周の所定箇所に形成された、第１平面部６７３に対応する第２平面部６８４とを備え、冷陰極管６７０の第１端部６７１が筒状部材６８２に挿入された状態で、第１平面部６７３と第２平面部６８４との当接によって冷陰極管６７０の回動を抑止するものであるので、冷陰極管６７０の回動を好適に抑止できる。
【０１５１】
また、筒状部材６８２は、その内部での表示パネル６６３から離れた箇所である背面箇所に、冷陰極管６７０の第１端部６７１が当該背面箇所からさらに背面方向に移動するのを規制する規制部６８５を備え、さらに、この筒状部材６８２は、冷陰極管６７０の第１端部６７１内の管内電極部に接続されたケーブル６７４が敷設される敷設空間部６８６を、当該筒状部材６８２の内部で規制部６８５よりも背面方向に形成しているので、筒状部材６８２に挿入された第１端部６７１は規制部６８５によってそれ以上に背面方向へ移動することが規制されており、しかも敷設空間部６８６によって、冷陰極管６７０の第１端部６７１のケーブル６７４の敷設空間が確保されているので、冷陰極管６７０が背面方向への移動することでこの第１端部６７１と筒状部材６８２の内周とでケーブル６７４が挟み込まれるようなことがないし、ケーブル６７４の敷設位置を確実ならしめることができる。
【０１５２】
また、固定部材６８０は、冷陰極管６７０の両端のうちで筒状部材６８２に挿入される第１端部６７１とは反対側の端部である第２端部６７２を保持する保持部６８７を備え、この保持部６８７は、表示パネル６６３に向けて突出して所定の間隔を空けて配設された一対の保持片６８８，６８８を有し、この一対の保持片６８８，６８８間に冷陰極管６７０の第２端部６７２が表示パネル６６３側から入れられて保持されるようになっているので、まず、冷陰極管６７０の第２端部６７２を固定部材６８０の一対の保持片６８８，６８８間に押し入れることで、この冷陰極管６７０を片取付状態とし、この片取付状態の冷陰極管６７０の第１端部６７１が固定部材６８０の筒状部材６８２に挿入されるようにスライド移動させ、冷陰極管６７０を表示パネル６６３の背面側に固定することができる。つまり、冷陰極管６７０の第２端部６７２を固定部材６８０の一対の保持片６８８，６８８間に押し入んだ片取付状態からその第１端部６７１を筒状部材６８２に挿入するようにスライド移動させるようにして冷陰極管６７０を取り付けることができるし、取り外す際にはその逆の手順で行えばよいので、着脱作業が容易である。さらに、冷陰極管６７０を取り外す際には、冷陰極管６７０の第１端部６７１を筒状部材６８２から抜き出してこの冷陰極管６７０の第２端部６７２を一対の保持片６８８，６８８から外すため、冷陰極管６７０の第１端部６７１を表示用基板６９５の方向に向けて取り外す訳ではないので、冷陰極管６７０の第１端部６７１が表示用基板６９５に接触するようなことを低減でき、安全性にも優れている。
【０１５３】
また、冷陰極管６７０の第２端部６７２は、外周で両側箇所に形成された一対の第３平面部６７５，６７５を備え、一対の保持片６８８，６８８は、その互いに向き合う面側に、一対の第３平面部６７５，６７５と対応する第４平面部６８９，６８９を備え、一対の保持片６８８，６８８の両第４平面部６８９，６８９に第２端部６７２の一対の第３平面部６７５，６７５がそれぞれ対向して当接または近接する状態でこの一対の保持片６８８，６８８間に第２端部６７２が保持されるようになっているので、冷陰極管６７０の第２端部６７２を一対の保持片６８８，６８８間で面支持することができ、保持性に優れているし、第２端部６７２の方でもこの冷陰極管６７０の回動を防止することができる
【０１５４】
この発明は、上記実施形態に限られることはなく、下記のように変形実施することができる。
【０１５５】
（１）上述した実施例では、冷陰極管６７０の第２端部６７２を固定部材６８０の一対の保持片６８８，６８８間に押し入んだ片取付状態からその第１端部６７１を筒状部材６８２に挿入するようにスライド移動させるようにして冷陰極管６７０を取り付けているが、冷陰極管６７０の第１端部６７１を固定部材６８０の筒状部材６８２に挿入し、第１端部６７１を筒状部材６８２に僅かに斜め方向に挿入した片斜め入れ状態とし、この冷陰極管６７０の第２端部６７２を固定部材６８０の一対の保持片６８８，６８８間に押し入れるようにして冷陰極管６７０を取り付けてもよい。なおこの場合には、筒状部材６８２の挿入口６８２ａは、第１端部６７１の筒状部材６８２への斜め入れ状態を許容する大きさとしている。
【０１５６】
（２）上述した実施例では、図３１（ｂ）に示すように、一対の保持片６８８，６８８の両第４平面部６８９，６８９に第２端部６７２の一対の第３平面部６７５，６７５がそれぞれ対向して当接する状態でこの一対の保持片６８８，６８８間に第２端部６７２が保持されるようになっているが、両第４平面部６８９，６８９に一対の第３平面部６７５，６７５がそれぞれ対向して近接する状態でこの一対の保持片６８８，６８８間に第２端部６７２が保持されるような構成としてもよい。
【０１５７】
（３）上述した実施例では、図３０（ｂ）に示すように、嵌合部６８３は、冷陰極管６７０の第１端部６７１の外周の両側箇所に形成された各第１平面部６７３と、筒状部材６８２の内周の両側箇所に形成された、第１平面部６７３に対応する各第２平面部６８４とを備え、冷陰極管６７０の第１端部６７１が筒状部材６８２に挿入された状態で、それぞれの第１平面部６７３と第２平面部６８４との当接によって冷陰極管６７０の回動を抑止するものとしているが、第１端部６７１の外周の所定箇所に単一の第１平面部６７３と、筒状部材６８２の内周の所定箇所に形成された、第１平面部６７３に対応する単一の第２平面部６８４とを備え、冷陰極管６７０の第１端部６７１が筒状部材６８２に挿入された状態で、第１平面部６７３と第２平面部６８４との当接によって冷陰極管６７０の回動を抑止するものしてもよいし、第１端部６７１の第１平面部６７３および筒状部材６８２の第２平面部６８４を３個以上の複数個としてもよいし、第１端部６７１と筒状部材６８２との内の一方にキー溝を形成しその他方にこのキー溝に挿入される突出キー部を形成した構成としてもよい。
【０１５８】
（４）上述した実施例では、遊技球使用の回胴遊技機を例に挙げて説明してきたが、パチンコ機やスロットマシンやこれらを融合させた遊技機などに適用可能である。
【産業上の利用可能性】
【０１５９】
以上のように、この発明は、遊技球を使用するパチンコ機、メダルを使用するスロットマシン及び遊技球使用の回胴遊技機などの各種の遊技機に適している。
【図面の簡単な説明】
【０１６０】
【図１】本発明の一実施の形態における遊技機の全体を示す斜視図である。
【図２】遊技機の正面図である。
【図３】遊技機の内部開放状態を示す斜視図である。
【図４】遊技機の内部開放状態を示す斜視図である。
【図５】遊技機の背面図である。
【図６】（ａ）は遊技機本体部を背面側から見た図、（ｂ），（ｃ）はドアブロックに対する遊技盤ブロックと払出ブロックの開放動作状況を示す図である。
【図７】ドアブロックを前方から見た分解斜視図である。
【図８】ドアブロックを後方から見た分解斜視図である。
【図９】ドアブロックを構成する前扉体と背面枠とを分離してそれらを前方から見た斜視図である。
【図１０】ドアブロックを構成する前扉体と背面枠とを分離してそれらを後方から見た斜視図である。
【図１１】受皿ブロックの斜視図である。
【図１２】遊技盤ブロックの後方斜視図である。
【図１３】遊技盤ブロックの分解斜視図である。
【図１４】前面枠体およびベース板とリール装置との斜視図である。
【図１５】払出ブロックの斜視図である。
【図１６】払出ブロックの背面図である。
【図１７】遊技盤ブロックの前面側のシート体などを分解した状態の斜視図である。
【図１８】サブパネル部の表示パネルを外した状態の遊技盤ブロックを前方右上側から見た斜視図である。
【図１９】図１８でのサブパネル部の右側箇所の拡大斜視図である。
【図２０】サブパネル部の表示パネルを外した状態の遊技盤ブロックを前方左上側から見た斜視図である。
【図２１】図２０でのサブパネル部の右側箇所の拡大斜視図である。
【図２２】図１８のサブパネル部の表示用基板を外した状態の遊技盤ブロックを前方右上側から見た斜視図である。
【図２３】図２２でのサブパネル部の右側箇所の拡大斜視図である。
【図２４】図２０のサブパネル部の表示用基板を外した状態の遊技盤ブロックを前方左上側から見た斜視図である。
【図２５】図２４でのサブパネル部の右側箇所の拡大斜視図である。
【図２６】図２２のサブパネル部の冷陰極管を外した状態の遊技盤ブロックを前方右上側から見た斜視図である。
【図２７】図２６でのサブパネル部の右側箇所の拡大斜視図である。
【図２８】図２４のサブパネル部の冷陰極管を外した状態の遊技盤ブロックを前方左上側から見た斜視図である。
【図２９】図２８でのサブパネル部の右側箇所の拡大斜視図である。
【図３０】（ａ）は、サブパネル部を冷陰極管の長手方向に沿って縦断面して正面側から見た場合の右側箇所の縦断面図であり、（ｂ）は、サブパネル部を正面縦方向に断面して右横から見た場合の縦断面図である。
【図３１】（ａ）は、表示パネルを外した状態で冷陰極管の取り付け前の状態でのサブパネル部の左側箇所の拡大斜視図であり、（ｂ）は、その取り付けた状態の拡大斜視図である。
【符号の説明】
【０１６１】
１  …  遊技機
２  …  外枠（本体部材）
４  …  ドアブロック（扉部材）
５  …  遊技主要ブロック
５０  …  サブパネル部（情報表示手段）
６６１  …  透明プレート
６６３  …  表示パネル
６７０  …  冷陰極管
６７１  …  第１端部
６７２  …  第２端部
６７３  …  第１平面部
６７４  …  ケーブル
６７５  …  第３平面部
６８０  …  固定部材（固定手段）
６８１  …  覆い部
６８２  …  筒状部材
６８２ａ…  挿入口
６８２ｂ…  閉鎖部
６８３  …  嵌合部（嵌合手段）
６８４  …  第２平面部
６８５  …  規制部
６８６  …  敷設空間部
６８７  …  保持部
６８８  …  保持片
６８９  …  第４平面部
６９３  …  表示部
６９５  …  表示用基板
６９７  …  遊技情報表示領域
【図１】
2008212178.tif 000003
【図２】
2008212178.tif 000004
【図３】
2008212178.tif 000005
【図４】
2008212178.tif 000006
【図５】
2008212178.tif 000007
【図６】
2008212178.tif 000008
【図７】
2008212178.tif 000009
【図８】
2008212178.tif 000010
【図９】
2008212178.tif 000011
【図１０】
2008212178.tif 000012
【図１１】
2008212178.tif 000013
【図１２】
2008212178.tif 000014
【図１３】
2008212178.tif 000015
【図１４】
2008212178.tif 000016
【図１５】
2008212178.tif 000017
【図１６】
2008212178.tif 000018
【図１７】
2008212178.tif 000019
【図１８】
2008212178.tif 000020
【図１９】
2008212178.tif 000021
【図２０】
2008212178.tif 000022
【図２１】
2008212178.tif 000023
【図２２】
2008212178.tif 000024
【図２３】
2008212178.tif 000025
【図２４】
2008212178.tif 000026
【図２５】
2008212178.tif 000027
【図２６】
2008212178.tif 000028
【図２７】
2008212178.tif 000029
【図２８】
2008212178.tif 000030
【図２９】
2008212178.tif 000031
【図３０】
2008212178.tif 000032
【図３１】
2008212178.tif 000033